(57)【要約】【課題】利用者に応じて適切なコンテンツを表示することができるエレベータ装置等を提供する。【解決手段】エレベータ装置は、利用者毎に施設の状態に関連付けられたコンテンツを記憶する記憶部と、エレベータに乗っている利用者を識別する識別部と、前記施設の状態を検出するセンサから検出結果を取得する取得部と、前記エレベータに設けられた表示部であって、識別した前記利用者と、前記検出結果とに応じた情報を前記記憶部から取得して表示する表示部とを備えることを特徴とする。【選択図】図１
2020203775.tif 000002
【特許請求の範囲】
【請求項１】
利用者毎に施設の状態に関連付けられたコンテンツを記憶する記憶部と、
エレベータに乗っている利用者を識別する識別部と、
前記施設の状態を検出するセンサから検出結果を取得する取得部と、
前記エレベータに設けられた表示部であって、識別した前記利用者と、前記検出結果とに応じた情報を前記記憶部から取得して表示する表示部と
を備えることを特徴とするエレベータ装置。
【請求項２】
前記識別部は、集合住宅である前記施設の住人を識別し、
前記取得部は、前記集合住宅における前記住人の住居の状態を検出した検出結果を取得する
ことを特徴とする請求項１に記載のエレベータ装置。
【請求項３】
前記住居宛の宅配物に関する宅配情報を取得する第２取得部を備え、
前記表示部は、識別した前記住人の前記住居に対応する前記宅配情報を表示する
ことを特徴とする請求項２に記載のエレベータ装置。
【請求項４】
前記識別部は、前記エレベータに乗っている前記利用者が一人であるか否かを判定し、
前記利用者が一人であると判定した場合、前記表示部は、該利用者に応じた情報を表示する
ことを特徴とする請求項１〜３のいずれか１項に記載のエレベータ装置。
【請求項５】
前記エレベータに、前記利用者が所持する携帯端末と近距離無線通信を行う通信部を備え、
前記識別部は、前記エレベータに乗っている前記利用者が複数であるか否かを判定し、
前記エレベータに乗っている前記利用者が複数であると判定した場合、前記通信部が、前記利用者に応じた情報を該利用者の前記携帯端末に送信する
ことを特徴とする請求項１〜４のいずれか１項に記載のエレベータ装置。
【請求項６】
エレベータに乗っている利用者を識別し、
施設の状態を検出するセンサから検出結果を取得し、
前記エレベータに設けられた表示部に、識別した前記利用者と、前記検出結果とに応じた情報を、利用者毎に施設の状態に関連付けられたコンテンツを記憶する記憶部から取得して表示する
処理をコンピュータが実行することを特徴とする情報処理方法。
【請求項７】
エレベータに乗っている利用者を識別し、
施設の状態を検出するセンサから検出結果を取得し、
前記エレベータに設けられた表示部に、識別した前記利用者と、前記検出結果とに応じた情報を、利用者毎に施設の状態に関連付けられたコンテンツを記憶する記憶部から取得して表示する
処理をコンピュータに実行させることを特徴とするプログラム。
【発明の詳細な説明】
【技術分野】
【０００１】
本発明は、エレベータ装置、情報処理方法及びプログラムに関する。
【背景技術】
【０００２】
近年、公共空間などにデジタルサイネージと呼ばれる表示装置が普及している。例えば特許文献１では、エレベータの乗りかごに備えられたコンテンツ表示装置であって、エレベータが設置された建物の階とコンテンツとを関連付けておき、乗りかごが昇降する階に対応するコンテンツを表示するコンテンツ表示装置等が開示されている。
【先行技術文献】
【特許文献】
【０００３】
【特許文献１】特開２０１０−２５４４１０号公報
【発明の概要】
【発明が解決しようとする課題】
【０００４】
しかしながら、特許文献１に係る発明は建物の階に応じて一律にコンテンツを表示するのみで、エレベータに乗る利用者に応じてコンテンツを表示するに至っていない。
【０００５】
一つの側面では、利用者に応じて適切なコンテンツを表示することができるエレベータ装置等を提供することを目的とする。
【課題を解決するための手段】
【０００６】
一つの側面に係るエレベータ装置は、利用者毎に施設の状態に関連付けられたコンテンツを記憶する記憶部と、エレベータに乗っている利用者を識別する識別部と、前記施設の状態を検出するセンサから検出結果を取得する取得部と、前記エレベータに設けられた表示部であって、識別した前記利用者と、前記検出結果とに応じた情報を前記記憶部から取得して表示する表示部とを備えることを特徴とする。
【発明の効果】
【０００７】
一つの側面では、利用者に応じて適切なコンテンツを表示することができる。
【図面の簡単な説明】
【０００８】
【図１】エレベータシステムの構成例を示す模式図である。
【図２】サーバの構成例を示すブロック図である。
【図３】サイネージの構成例を示すブロック図である。
【図４】施設ＤＢ、利用者ＤＢ、及びコンテンツＤＢのレコードレイアウトの一例を示す説明図である。
【図５】実施の形態１の概要を示す説明図である。
【図６】サイネージが実行する処理手順の一例を示すフローチャートである。
【図７】実施の形態２に係るサーバの構成例を示すブロック図である。
【図８】実施の形態２に係るコンテンツＤＢ及び視聴履歴ＤＢのレコードレイアウトの一例を示す説明図である。
【図９】実施の形態２の概要を示す説明図である。
【図１０】実施の形態２に係るサイネージが実行する処理手順の一例を示すフローチャートである。
【図１１】実施の形態２に係るサーバが実行する処理手順の一例を示すフローチャートである。
【図１２】上述した形態のエレベータシステムの動作を示す機能ブロック図である。
【発明を実施するための形態】
【０００９】
以下、本発明をその実施の形態を示す図面に基づいて詳述する。
（実施の形態１）
図１は、エレベータシステムの構成例を示す模式図である。本実施の形態では、エレベータを利用する利用者に応じたコンテンツをエレベータ内のサイネージ（表示装置）２に表示するエレベータシステム（エレベータ装置）について説明する。エレベータシステムは、情報処理装置１、サイネージ２、端末３等を含む。各装置はネットワークＮを介して通信接続されている。
【００１０】
情報処理装置１は、種々の情報処理、情報の送受信を行う装置であり、例えばサーバ装置、パーソナルコンピュータ等である。本実施の形態において情報処理装置１はサーバ装置であるものとし、以下では簡潔のためサーバ１と読み替える。サーバ１は、サイネージ２に表示するコンテンツを管理する管理サーバであり、インターネット等のネットワークＮを介して表示コンテンツをサイネージ２に配信し、所定の放映スケジュールに従ってコンテンツを表示させる。
【００１１】
なお、本実施の形態では表示コンテンツを管理する管理装置がクラウド上のサーバ１であるものとして説明するが、当該管理装置はサイネージ２とＬＡＮ（Local Area Network）等で通信接続されたローカルコンピュータであってもよい。
【００１２】
サイネージ２は、いわゆるデジタルサイネージと呼ばれる表示装置であり、例えばエレベータの操作盤上方にディスプレイが設けられている。サイネージ２はサーバ１からコンテンツの配信を受け、例えば広告、ニュースなどを表示する。
【００１３】
本実施の形態に係るサイネージ２は、複数の住人（利用者）が居住する集合住宅の共用スペースに設置されたエレベータに設けられている。サイネージ２は、各住人が共用するエレベータにおいて、当該エレベータが設置された集合住宅に関連する情報を表示する。具体的には後述するように、サイネージ２は、集合住宅の施設情報（例えば回覧事項など）、周辺の気象情報など、各住人にとって共通して有益な情報を表示するほかに、各住人に住居に設置された開閉センサ４、温度センサ５等によって検出されたドアや窓の閉め忘れ、火の消し忘れなどを報知する報知情報、あるいは宅配ボックス６に届けられた宅配物に関する宅配情報など、個々の住人の住居に関連する住居情報を表示する。
【００１４】
なお、本実施の形態ではサイネージ２が集合住宅のエレベータに設置されているものとして説明するが、サイネージ２が設置される施設は、商業施設など、集合住宅以外の施設であってもよい。
【００１５】
端末３は、各利用者（住人）が所持する携帯端末であり、例えばスマートフォンである。本実施の形態でサイネージ２は、Ｂｌｕｅｔｏｏｔｈ（登録商標）等の通信規格で近距離無線通信を行う通信モジュールを備え、利用者の端末３と通信可能となっている。後述するように、サイネージ２は端末３との間で近距離無線通信を行い、エレベータ内の利用者向けの情報を端末３に通知する。
【００１６】
図２は、サーバ１の構成例を示すブロック図である。サーバ１は、制御部１１、主記憶部１２、通信部１３、補助記憶部１４を有する。
制御部１１は、一又は複数のＣＰＵ（Central Processing Unit）、ＭＰＵ（Micro-Processing Unit）、ＧＰＵ（Graphics Processing Unit）等の演算処理装置を有し、補助記憶部１４に記憶されたプログラムＰ１を読み出して実行することにより、種々の情報処理、制御処理等を行う。主記憶部１２は、ＳＲＡＭ（Static Random Access Memory）、ＤＲＡＭ（Dynamic Random Access Memory）、フラッシュメモリ等の一時記憶領域であり、制御部１１が演算処理を実行するために必要なデータを一時的に記憶する。通信部１３は、通信に関する処理を行うための通信モジュールであり、外部と情報の送受信を行う。
【００１７】
補助記憶部１４は、ハードディスク、大容量メモリ等の不揮発性記憶領域であり、制御部１１が処理を実行するために必要なプログラムＰ１、その他のデータを記憶している。また、補助記憶部１４は、施設ＤＢ１４１、利用者ＤＢ１４２、及びコンテンツＤＢ１４３を記憶している。施設ＤＢ１４１は、サイネージ２が設置された施設（集合住宅）の情報を格納するデータベースである。利用者ＤＢ１４２は、エレベータの利用者（住人）の情報を格納するデータベースである。コンテンツＤＢ１４３は、サイネージ２に表示するコンテンツを格納するデータベースである。
【００１８】
なお、補助記憶部１４はサーバ１に接続された外部記憶装置であってもよい。また、サーバ１は複数のコンピュータからなるマルチコンピュータであっても良く、ソフトウェアによって仮想的に構築された仮想マシンであってもよい。
【００１９】
また、本実施の形態においてサーバ１は上記の構成に限られず、例えば操作入力を受け付ける入力部、画像を表示する表示部等を含んでもよい。また、サーバ１は、ＣＤ（Compact Disk）−ＲＯＭ、ＤＶＤ（Digital Versatile Disc）−ＲＯＭ等の可搬型記憶媒体１ａを読み取る読取部を備え、可搬型記憶媒体１ａからプログラムＰ１を読み取って実行するようにしても良い。あるいはサーバ１は、半導体メモリ１ｂからプログラムＰ１を読み込んでも良い。
【００２０】
図３は、サイネージ２の構成例を示すブロック図である。サイネージ２は、制御部２１、記憶部２２、表示部２３、撮像部２４、外部通信部２５、近距離通信部２６を有する。
制御部２１は、一又は複数のＣＰＵ、ＭＰＵ等の演算処理装置を有し、記憶部２２に記憶されたプログラムＰ２を読み出して実行することにより、種々の情報処理、制御処理等を行う。記憶部２２は、ＲＡＭ、ＲＯＭ等を備えた記憶領域であり、制御部２１が演算処理を実行するために必要なプログラムＰ２、その他のデータを記憶する。表示部２３は、液晶ディスプレイ、有機ＥＬ（Electro Luminescence）ディスプレイ等の表示ディスプレイであり、制御部２１から与えられた画像を表示する。撮像部２４はカメラであり、表示部２３（ディスプレイ）と同じ筐体に収容され、エレベータ内を撮像する。外部通信部２５は、エレベータ外部と通信を行うためのアンテナ等を備えた通信モジュールであり、エレベータの乗りかご内のディスプレイ本体から配線を引き回して乗りかご外（例えば乗りかごの上）に設置され、サーバ１等と通信を行う。近距離通信部２６は、近距離無線通信を行う通信モジュールであり、Ｂｌｕｅｔｏｏｔｈ等の通信規格に従ってエレベータ内の携帯端末（端末３）と通信を行う。
【００２１】
なお、近距離通信部２６の通信規格はＢｌｕｅｔｏｏｔｈに限定されず、例えばＷｉ−ｆｉ（登録商標）、その他の通信規格であってもよい。
【００２２】
なお、サイネージ２は、可搬型記憶媒体２ａを読み取る読取部を備え、可搬型記憶媒体２ａからプログラムＰ２を読み取って実行するようにしても良い。あるいはサイネージ２は、半導体メモリ２ｂからプログラムＰ２を読み込んでも良い。
【００２３】
図４は、施設ＤＢ１４１、利用者ＤＢ１４２、及びコンテンツＤＢ１４３のレコードレイアウトの一例を示す説明図である。
施設ＤＢ１４１は、施設ＩＤ列、施設名列、設置台数列、エレベータＩＤ列、サイネージＩＤ列、施設情報列、外部情報列を含む。施設ＩＤ列は、サイネージ２が設置された各施設（集合住宅）を識別するための施設ＩＤを記憶している。施設名列、設置台数列、エレベータＩＤ列、施設情報列、及び外部情報列はそれぞれ、施設ＩＤと対応付けて、施設名、エレベータの設置台数、各エレベータを識別するためのエレベータＩＤ、当該施設に関する施設情報、及び当該施設の外部環境に関する外部情報を記憶している。サイネージＩＤ列は、エレベータＩＤと対応付けて、各エレベータに設けられたサイネージ２を識別するためのサイネージＩＤを記憶している。
【００２４】
利用者ＤＢ１４２は、利用者ＩＤ列、利用者名列、特徴量列、居住施設列、部屋番号列、住居状態列、宅配物列を含む。利用者ＩＤ列は、各利用者を識別するための利用者ＩＤを記憶している。利用者名列、特徴量列、居住施設列、部屋番号列、住居状態列、及び宅配物列はそれぞれ、利用者ＩＤ列と対応付けて、利用者の氏名、利用者の顔認識を行うための特徴量データ、利用者が居住する施設（集合住宅）の施設ＩＤ、部屋番号、利用者に対応する住居の状態、及び宅配物の有無を記憶している。住居状態列には、開閉センサ４、温度センサ５等による検出結果が記憶されている。宅配物列には、利用者の住居宛に届けられ、宅配ボックス６に預けられている宅配物の有無が記憶されている。
【００２５】
コンテンツＤＢ１４３は、コンテンツＩＤ列、コンテンツ列、対象施設列を含む。コンテンツＩＤ列は、各表示コンテンツ（例えば広告）を識別するためのコンテンツＩＤを記憶している。コンテンツ列、対象施設列はそれぞれ、コンテンツＩＤと対応付けて、コンテンツの画像データ、コンテンツを放映（表示）する対象施設の施設ＩＤを記憶している。
【００２６】
図５は、実施の形態１の概要を示す説明図である。図５に基づき、本実施の形態の概要を説明する。
上述の如く、サイネージ２はサーバ１から表示コンテンツの配信を受け、エレベータ内に設けられたディスプレイ（表示部２３）にコンテンツを表示する。当該コンテンツは特に限定されないが、例えば所定の広告、ニュースなどを表示する。その他にサイネージ２は、エレベータが設置された施設に応じて、当該施設（集合住宅）に関連する施設情報（住人に周知すべき回覧事項など）を表示する。また、例えばサイネージ２は、当該施設周辺の気温、天気などの気象情報、あるいは施設周辺の交通機関の状況に関する交通情報など、施設の外部環境に関する外部情報などを表示する。サイネージ２は、これらの各種コンテンツをサーバ１から取得し、予め定められた放映（表示）スケジュールに従ってコンテンツを切り換えながら表示する。
【００２７】
本実施の形態でサイネージ２は、エレベータに利用者（住人）が乗った場合、乗りかご内の利用者を識別する。例えばエレベータには、ディスプレイと共にエレベータの操作盤の上にカメラ（撮像部２４）が設けられている。サイネージ２は、当該カメラで撮像した画像に基づき、利用者ＤＢ１４２に記憶されている顔認識用の特徴量データと比較して、乗りかご内の利用者の顔認識を行う。なお、顔認識に必要な利用者の認識用データは、各施設のサイネージ２のストレージ（記憶部２２）に登録（記憶）されていてもよい。
【００２８】
なお、顔認識は利用者の識別手段の一例であって、サイネージ２はエレベータ内の利用者を識別可能であればよく、例えばエレベータ内の端末３と近距離無線通信を行って利用者ＩＤを確認し、各利用者を識別するようにしてもよい。
【００２９】
エレベータ内の利用者を識別（認識）した場合、サイネージ２は、識別した利用者と、当該エレベータが設置されている施設とに応じた情報を表示する。具体的には、サイネージ２は、利用者及び施設に関連する情報として、当該エレベータが設置されている施設内の、当該利用者の住居（部屋）に関連した住居情報を表示する。
【００３０】
例えばサイネージ２は、住居情報として、ドアや窓の閉め忘れ、火の消し忘れなど、利用者の住居の状態に関して報知する報知情報を表示する。図５では、表示コンテンツが報知情報に切り換えて表示される様子を図示している。例えば各利用者の住居には、各ドア及び窓に開閉センサ４が、ガスコンロなどに温度センサ５等が設置されている。各種センサは不図示のルータ装置を介してサーバ１に通信接続されており、利用者の住居の状態について検出した検出結果をサーバ１に送信する。サーバ１は、開閉センサ４、温度センサ５等が設置されている住居に対応する利用者の利用者ＩＤと対応付けて、各種センサによる検出結果を利用者ＤＢ１４２に記憶する。
【００３１】
エレベータ内の利用者を識別した場合、サイネージ２は、識別した利用者の利用者ＩＤと対応付けて利用者ＤＢ１４２に記憶されている、利用者の住居の状態に関する検出結果をサーバ１から取得する。サイネージ２は、サーバ１から取得した各種センサの検出結果に基づき、利用者の住居における防犯、防火上の異常の有無を判定して、異常があると判定した場合、利用者に警告を発するための報知情報を表示する。
【００３２】
なお、サイネージ２が各種センサの検出結果に応じて表示する情報は、住居の安全性に関して警告を発する報知情報に限定されず、例えば電気の消し忘れなど、安全性に関わりはないが、生活上利便性の高い情報であってもよい。すなわち、サイネージ２は、住居内に設けられた各種センサの検出結果に基づいて住居の状態を判定し、判定した住居の状態を報知するための報知情報を表示可能であればよく、その内容は特に限定されない。
【００３３】
また、サイネージ２は、住居内の状態だけでなく、利用者（住人）にとって利便性の高い他の住居情報も表示する。例えばサイネージ２は、利用者の住居宛に宅配物が配送されている場合、宅配物がある旨の宅配情報を表示する。
【００３４】
宅配物の有無を検知する方法は特に限定されないが、例えば施設内の宅配ボックス６は、宅配業者によって利用者宛の宅配物が収納された場合に、宅配ボックス６が設置されている施設の施設ＩＤ、配送先である利用者の住居の部屋番号等をサーバ１に送信するように構成されている。サーバ１は、宅配ボックス６から受信した施設ＩＤ、部屋番号等に基づき、宅配物の配送先である住居に係る利用者の利用者ＩＤと対応付けて、宅配物の有無を利用者ＤＢ１４２に記憶する。
【００３５】
エレベータ内の利用者を識別した場合、サイネージ２は、識別した利用者の利用者ＩＤに基づき、利用者ＤＢ１４２に記憶されている宅配物の有無に係るデータをサーバ１から取得する。宅配物がある場合、サイネージ２は、宅配物がある旨の宅配情報を表示する。
【００３６】
なお、宅配物の有無を検知する方法は上記の処理に限定されず、例えば宅配業者から、宅配物を配送した旨、又は配送予定の宅配物がある旨の宅配情報を受信して利用者ＤＢ１４２に記憶しておき、サイネージ２に表示させるようにしてもよい。
【００３７】
上記のように、サイネージ２は、エレベータ内の利用者を識別した場合、当該利用者に応じた住居情報を表示する。この場合に、エレベータ内に複数の利用者（住人）が乗っており、一の利用者に向けた住居情報を表示するには不適切な状況も考えられる。そこでサイネージ２は、複数人の利用者が乗っている場合は、対応する利用者の端末３に同様の住居情報を通知すると好適である。すなわち、サイネージ２は各利用者の端末３と通信を行い、利用者ＩＤを確認して送信先の端末３を識別し、住居状態に関する報知情報、宅配物の有無に関する宅配情報などを通知する。これにより、複数の利用者が同乗している場合であっても、各利用者に個別に情報を提示することができる。
【００３８】
図６は、サイネージ２が実行する処理手順の一例を示すフローチャートである。図６に基づき、サイネージ２が実行する処理内容について説明する。
サイネージ２の制御部２１は、サーバ１から表示コンテンツを取得し、表示部２３に表示する（ステップＳ１１）。ステップＳ１１で表示するコンテンツは、例えば広告、ニュースなどのほか、サイネージ２が設けられたエレベータに対応する施設の施設情報、当該施設周辺の外部環境に関する外部情報などである。
【００３９】
制御部２１は、撮像部２４が撮像した画像に基づく顔認識を行い、エレベータに乗っている利用者を識別する（ステップＳ１２）。制御部２１はサーバ１と通信を行い、識別した利用者と、当該利用者が乗っているエレベータが設置された施設とに応じた情報を取得する（ステップＳ１３）。ステップＳ１３で取得する情報は、当該施設（集合住宅）内の利用者の住居に関連する住居情報である。住居情報は、例えば利用者の住居に設置された開閉センサ４、温度センサ５等によって住居の状態を検出した検出結果、及び利用者の住居宛に配送された宅配物の有無などの情報である。
【００４０】
制御部２１は、取得した住居情報に基づき、利用者（住人）の住居に防犯、防火上の異常があるか否かを判定する（ステップＳ１４）。異常がないと判定した場合（Ｓ１４：ＮＯ）、制御部２１は住居情報に基づき、利用者の住居宛に配送された宅配物があるか否かを判定する（ステップＳ１５）。宅配物がないと判定した場合（Ｓ１５：ＮＯ）、制御部２１は一連の処理を終了する。
【００４１】
利用者の住居に異常があると判定した場合（Ｓ１４：ＹＥＳ）、又は宅配物があると判定した場合（Ｓ１５：ＹＥＳ）、制御部２１は、エレベータに乗っている利用者が一人である否かを判定する（ステップＳ１６）。一人であると判定した場合（Ｓ１６：ＹＥＳ）、すなわち利用者が一人であると判定した場合、制御部２１は、ステップＳ１４、Ｓ１５の判定結果に応じた住居情報を表示部２３に表示する（ステップＳ１７）。具体的には、制御部２１は、ステップＳ１４でＹＥＳの場合はドアや窓の閉め忘れ、火の消し忘れ等、住居の状態に関して警告を発する報知情報を、ステップＳ１５でＹＥＳの場合は宅配物がある旨の宅配情報を表示する。
【００４２】
エレベータに乗っている利用者が複数であると判定した場合（Ｓ１６：ＮＯ）、制御部２１は、利用者の端末３との間で近距離無線通信を行い、ステップＳ１７と同様の住居情報を端末３に通知する（ステップＳ１８）。ステップＳ１７又はＳ１８の処理を実行後、制御部２１は一連の処理を終了する。
【００４３】
以上より、本実施の形態１によれば、利用者に応じて有益なコンテンツを表示することができる。特に本実施の形態では、エレベータが設置された施設に応じて、より適切なコンテンツを表示することができる。
【００４４】
また、本実施の形態１によれば、集合住宅において共用されるエレベータにおいて、各住人（利用者）に応じた住居情報を表示することで、生活上有益な情報を提示することができる。
【００４５】
また、本実施の形態１によれば、ドアや窓の閉め忘れ、火の消し忘れなど、住居の状態に関する情報を住人に報知することができる。
【００４６】
また、本実施の形態１によれば、宅配物の有無に関する情報を表示することで、より利便性を高めることができる。
【００４７】
また、本実施の形態１によれば、エレベータ内の利用者が一人の場合は当該利用者に応じた情報をサイネージ２に表示し、複数の場合は端末３に通知することで、より適切に各利用者向けの情報を提示することができる。
【００４８】
（実施の形態２）
本実施の形態では、エレベータ内の利用者の属性、あるいは施設周辺の外部情報などに応じて表示コンテンツを決定する形態について述べる。なお、実施の形態１と重複する内容については同一の符号を付して説明を省略する。
図７は、実施の形態２に係るサーバ１の構成例を示すブロック図である。本実施の形態に係るサーバ１の補助記憶部１４は、視聴履歴ＤＢ１４４を記憶している。視聴履歴ＤＢ１４４は、サイネージ２に表示したコンテンツの視聴履歴を格納するデータベースである。
【００４９】
図８は、実施の形態２に係るコンテンツＤＢ１４３及び視聴履歴ＤＢ１４４のレコードレイアウトの一例を示す説明図である。
本実施の形態に係るコンテンツＤＢ１４３は、コンテンツＩＤ列、コンテンツ列、対象施設列に加えて、対象属性列、外部環境条件列、クーポン列を含む。対象属性列、外部環境条件列、及びクーポン列はそれぞれ、コンテンツＩＤと対応付けて、コンテンツの提示対象とする利用者の属性情報、コンテンツの表示条件とする外部環境の条件、及び利用者に配布する電子クーポン（特典）に関する情報を記憶している。
【００５０】
視聴履歴ＤＢ１４４は、日時列、表示コンテンツ列、表示サイネージ列、利用者列、視聴列、属性列を含む。日時列は、サイネージ２にコンテンツを表示した日時を記憶している。表示コンテンツ列、表示サイネージ列、利用者列、視聴列、及び属性列はそれぞれ、日時と対応付けて、表示したコンテンツのコンテンツＩＤ、コンテンツを表示したサイネージ２のサイネージＩＤ、コンテンツを表示した際に乗っているエレベータ内の利用者の利用者ＩＤ、当該利用者によるコンテンツ視聴の有無、及び利用者の属性情報を記憶している。
【００５１】
図９は、実施の形態２の概要を示す説明図である。図９に基づき、本実施の形態の概要を説明する。
実施の形態１では、広告等をコンテンツとしてサイネージ２に表示する旨を説明した。本実施の形態では、広告等を表示する場合に、エレベータに乗っている利用者に関連する情報を取得し、当該情報に応じて表示する広告等を決定する。利用者に関連する情報とは、利用者に対して提示するコンテンツを選択するための任意の情報であり、利用者本人、あるいは利用者の周囲の状況に関連した情報である。
【００５２】
例えばサイネージ２は、利用者に関連する情報として、利用者の属性情報に基づいて表示コンテンツを決定する。サイネージ２は、撮像部２４で撮像した画像に基づき、エレベータに乗った利用者の属性情報を識別する。属性情報は、例えば年齢、属性等であるが、その内容は特に限定されない。
【００５３】
例えばサイネージ２は、年齢、属性等のほかに、利用者の服装、又は所持品など、利用者の身の回りの物品を属性情報として識別する。そしてサイネージ２は、識別した服装又は所持品に応じて、表示コンテンツを決定する。例えば図９の例では、利用者の服装が出勤着（スーツ）であり、カバンを持っているため、利用者が出勤先に外出するものと想定される。この場合、サイネージ２は、想定される外出先に応じたコンテンツを表示する。
【００５４】
また、例えばサイネージ２は、表示コンテンツを決定する際に参照する情報として、利用者（住人）が居住している施設（集合住宅）周辺の外部情報に基づいて表示コンテンツを決定してもよい。外部情報は、例えば施設周辺の気温、天気等の気象情報、あるいは施設周辺の交通機関に関する交通情報などである。例えばサイネージ２は、気温が高い日にはビールの広告を表示するというように、外部情報に応じて表示コンテンツを決定する。
【００５５】
上述の如く、サイネージ２は属性情報及び外部情報に応じたコンテンツを表示する。例えばコンテンツＤＢ１４３には、コンテンツの提示対象とする利用者の属性情報と、コンテンツの表示条件とする外部情報とを、各コンテンツのコンテンツＩＤと対応付けて記憶してある。エレベータ内の利用者を識別した場合、サイネージ２は、エレベータに乗っている利用者の属性情報と、利用者が乗っているエレベータが設置された施設周辺の外部情報とを、コンテンツＤＢ１４３において各コンテンツに対応付けられた属性情報及び外部情報と比較して、表示コンテンツを決定する。
【００５６】
この場合にサイネージ２はさらに、利用者による表示コンテンツの視聴の有無、すなわち視聴履歴を記録しておき、当該視聴履歴も参照して表示コンテンツを決定すると好適である。
【００５７】
例えばサイネージ２は、撮像部２４による撮像画像に基づき、利用者が表示コンテンツを視聴したか否かを判定する。例えばサイネージ２は、利用者の顔の向きに応じて視線方向を特定し、視線がディスプレイ（表示部２３）の位置に向いているか否かを判定する。サイネージ２は、エレベータに乗っている一又は複数の利用者それぞれについて、コンテンツを視聴したか否かを判定する。そしてサイネージ２は、表示したコンテンツのコンテンツＩＤ等と共に、エレベータ内の各利用者の利用者ＩＤと、各利用者によるコンテンツ視聴の有無とをサーバ１に通知し、コンテンツの表示日時と対応付けて視聴履歴ＤＢ１４４に記憶させる。
【００５８】
また、サイネージ２は、各利用者によるコンテンツの視聴の有無と共に、各利用者の属性情報をサーバ１に通知し、コンテンツＩＤ及び利用者ＩＤと紐付けて視聴履歴ＤＢ１４４に記憶させる。これにより、サーバ１は、表示コンテンツを各利用者が視聴したか否かを記憶すると共に、コンテンツを視聴した利用者（あるいは未視聴の人も含む各利用者）の属性情報を視聴履歴ＤＢ１４４に記憶する。
【００５９】
サイネージ２は、エレベータ内の利用者を認識した場合、各コンテンツの視聴履歴に基づき、利用者の属性情報に応じてコンテンツを決定する。属性に応じた表示コンテンツの決定方法は特に限定されないが、例えば各コンテンツの属性毎の視聴率に応じて、表示コンテンツを決定する。サーバ１は、コンテンツの表示回数に対する利用者の視聴回数、すなわち視聴率を属性毎に算出し、視聴率が高いコンテンツを表示するように、各コンテンツと属性情報との割当を決定しておく。サイネージ２は、サーバ１が決定した割当に従い、認識した利用者と同一又は類似する属性の利用者の視聴率が高いコンテンツを優先的に表示する。
【００６０】
また、例えばサイネージ２は、視聴率に応じて表示コンテンツを決定（選択）するだけでなく、視聴率に応じてコンテンツの表示時間を決定（変更）するようにしてもよい。例えばサーバ１は、視聴率の高低に応じて各コンテンツの表示時間の重み付けを行い、視聴率が高いコンテンツについては表示時間が長くなるように各コンテンツの表示時間を決定する。サイネージ２は、サーバ１が決定した表示時間に従い、表示部２３にコンテンツを表示する。
【００６１】
サイネージ２は、上記のように利用者の属性情報等に応じて、表示コンテンツを動的に制御する。この場合に、例えばサイネージ２は、利用者（住人）が施設（集合住宅）から外出するか否かを判定し、外出時に上記の処理に従った表示コンテンツの動的制御を行うようにすると好適である。例えばサイネージ２は、エレベータの昇降方向に応じて、エレベータが降下する場合は利用者が外出するものと判定する。なお、外出するか否かの判定は、エレベータの昇降方向に限定されず、例えば利用者の服装等の識別結果（外出着であるか否か等）に応じて判定してもよい。外出すると判定した場合、サイネージ２は属性情報及び外部情報に応じたコンテンツ表示を行う。これにより、提示対象とする利用者を外出者に絞り、広告等のコンテンツをより効果的に提示することができる。
【００６２】
また、サイネージ２は広告等のコンテンツを表示するだけでなく、表示コンテンツに応じたクーポン（特典）情報を端末３に通知すると好適である。例えばサイネージ２は、所定の電子クーポンを利用者が取得可能なＵＲＬアドレスなどをクーポン情報としてサーバ１から取得し、近距離無線通信を行ってクーポン情報を端末３に通知する。
【００６３】
この場合にサイネージ２は、例えば利用者がエレベータから降りる際にクーポン情報を通知すると好適である。例えばサイネージ２は、エレベータの動作状況（ドアの開閉、停止階等）、あるいは撮像画像の認識結果などに基づき、利用者がエレベータから降りるか否かを判定する。利用者が降りると判定した場合、サイネージ２はクーポン情報を通知する。これにより、エレベータに降下している間は表示コンテンツに集中させ、降りる際にクーポンを配布することができ、クーポン情報を通知するタイミングを好適に制御することができる。
【００６４】
図１０は、実施の形態２に係るサイネージ２が実行する処理手順の一例を示すフローチャートである。例えばサイネージ２の制御部２１は、ステップＳ１５でＮＯと判定した場合、又はステップＳ１７、Ｓ１８の処理を実行後、以下の処理を実行する。
制御部２１は、エレベータ内の利用者が施設（集合住宅）から外出するか否かを判定する（ステップＳ２０１）。例えば制御部２１は、上述の如く、エレベータの昇降方向に応じて外出するか否かを判定する。外出しないと判定した場合（Ｓ２０１：ＮＯ）、制御部２１は一連の処理を終了する。
【００６５】
外出すると判定した場合（Ｓ２０１：ＹＥＳ）、制御部２１は、撮像部２４がエレベータ内を撮像した画像に基づき、利用者の属性情報を識別する（ステップＳ２０２）。当該属性情報は、例えば年齢、性別等のほかに、利用者の服装、又は所持品等の身の回りの物品である。制御部２１は、識別した利用者の属性情報、及び施設周辺の外部情報に応じたコンテンツを表示する（ステップＳ２０３）。この場合に制御部２１は、例えば利用者の属性情報に応じて、コンテンツの表示時間を変更する。
【００６６】
制御部２１は、撮像画像に基づいて利用者の視線方向を特定し、利用者が表示コンテンツを視聴したか否かを判定する（ステップＳ２０４）。制御部２１は、視聴の有無を判定した判定結果と、利用者の属性情報とをサーバ１に送信し、表示コンテンツのコンテンツＩＤと対応付けて、利用者によるコンテンツ視聴の有無と、当該利用者の属性情報とを視聴履歴ＤＢ１４４に記憶させる（ステップＳ２０５）。
【００６７】
制御部２１は、エレベータの動作状況、あるいはエレベータ内の撮像画像の認識結果などに応じて、利用者がエレベータから降りるか否かを判定する（ステップＳ２０６）。エレベータから降りないと判定した場合（Ｓ２０６：ＮＯ）、制御部２１は処理を待機する。エレベータから降りると判定した場合（Ｓ２０６：ＹＥＳ）、制御部２１は、ステップＳ２０３で表示したコンテンツに応じたクーポン（特典）情報を端末３に通知する（ステップＳ２０７）。制御部２１は一連の処理を終了する。
【００６８】
図１１は、実施の形態２に係るサーバ１が実行する処理手順の一例を示すフローチャートである。図１１に基づき、各利用者の属性情報に応じた表示コンテンツを決定する処理の内容について説明する。
サーバ１の制御部１１は、サイネージ２に表示させる各コンテンツについて、各属性の利用者がコンテンツを視聴したか否かを示す視聴履歴をコンテンツＤＢ１４３から読み出す（ステップＳ３０１）。制御部１１は、読み出した視聴履歴に基づき、コンテンツを視聴した利用者と同一又は類似する属性の利用者に対して同じコンテンツを提示（表示）するように、属性情報に応じた表示コンテンツの割当を決定する（ステップＳ３０２）。例えば制御部１１は、属性毎にコンテンツの視聴率（コンテンツの表示回数に対する視聴人数）を算出し、算出した視聴率に応じて、属性情報に応じた表示コンテンツの割当を決定する。
【００６９】
また、制御部１１は、各コンテンツの視聴履歴を参照して、属性情報に応じたコンテンツの表示時間を決定する（ステップＳ３０３）。例えば制御部１１は、視聴率が高いほど表示時間が長くなるように、属性情報に応じて表示時間を決定する。制御部１１は、ステップＳ３０２、Ｓ３０３で決定した表示コンテンツの割当及び表示時間を記憶し（ステップＳ３０４）、一連の処理を終了する。
【００７０】
以上より、本実施の形態２によれば、エレベータ内の利用者に応じて、広告等のコンテンツを適切に選択して表示することができる。
【００７１】
また、本実施の形態２によれば、利用者の属性情報に応じて適切なコンテンツを選択することができる。
【００７２】
また、本実施の形態２によれば、利用者の属性情報の内、服装又は所持品に応じて表示コンテンツを決定することで、利用者の外出先などを推定し、より適切なコンテンツを選択することができる。
【００７３】
また、本実施の形態２によれば、属性毎の視聴履歴を記録しておき、当該視聴履歴を参照して属性情報に応じた表示コンテンツの割当を決定することで、より適切なコンテンツを提示することができる。
【００７４】
また、本実施の形態２によれば、視聴履歴に基づきコンテンツの表示時間を変動（決定）することで、より好適にコンテンツを提示することができる。
【００７５】
また、本実施の形態２によれば、気象情報、交通情報などの施設周辺の外部情報を参照することで、適切なコンテンツを選択することができる。
【００７６】
また、本実施の形態２によれば、広告等のコンテンツを提示するだけでなく、クーポン等の特典を利用者に付与することもできる。
【００７７】
また、本実施の形態２によれば、エレベータの昇降方向に応じて、例えば利用者が外出するか否かなどを判定することにより、広告等のコンテンツをより効果的に提示することができる。
【００７８】
（実施の形態３）
図１２は、上述した形態のエレベータシステムの動作を示す機能ブロック図である。制御部１１及び制御部２１がプログラムＰ１、Ｐ２を実行することにより、サーバ１及びサイネージ２は以下のように動作する。
サーバ１の記憶部１２１は、利用者毎に施設の状態に関連付けられたコンテンツを記憶する。サイネージ２の識別部１２２は、エレベータに乗っている利用者を識別する。サーバ１の取得部１２３は、前記施設の状態を検出するセンサから検出結果を取得する。サイネージ２の表示部１２４は、前記エレベータに設けられた表示部であって、識別した前記利用者と、前記検出結果とに応じた情報を前記記憶部から取得して表示する。
【００７９】
本実施の形態３は以上の如きであり、その他は実施の形態１及び２と同様であるので、対応する部分には同一の符号を付してその詳細な説明を省略する。
【００８０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８１】
１  サーバ（情報処理装置）
１１  制御部
１２  主記憶部
１３  通信部
１４  補助記憶部
Ｐ１  プログラム
２  サイネージ（表示装置）
２１  制御部
２２  記憶部
Ｐ２  プログラム
２３  表示部
２４  撮像部
２５  外部通信部
２６  近距離通信部
３  端末
４  開閉センサ
５  温度センサ
６  宅配ボックス
【図１】
2020203775.tif 000003
【図２】
2020203775.tif 000004
【図３】
2020203775.tif 000005
【図４】
2020203775.tif 000006
【図５】
2020203775.tif 000007
【図６】
2020203775.tif 000008
【図７】
2020203775.tif 000009
【図８】
2020203775.tif 000010
【図９】
2020203775.tif 000011
【図１０】
2020203775.tif 000012
【図１１】
2020203775.tif 000013
【図１２】
2020203775.tif 000014